(57)【要約】【課題】  時計の薄型化を図ることを可能にする時計の針位置検出装置及びこれを備えた時計を提供すること【解決手段】  時表示指針Ａ１０，Ａ２０，Ａ３０が所定の回転位置ＰＺ１０，ＰＺ２０，ＰＺ３０にあることを検出する時計１の針位置検出装置では、時表示指針Ａ１０，Ａ２０，Ａ３０又は該時表示指針Ａ１０，Ａ２０，Ａ３０が前記所定の回転位置Ｐ１０，Ｐ２０，ＰＺ３０に達した際該時表示指針Ａ１０，Ａ２０，Ａ３０が対面する特定位置Ｐ１０，Ｐ２０，Ｐ３０の部分のうちのいずれか一方が、磁性材料からなり、他方が磁気センサＳ１０，Ｓ２０，Ｓ３０を備える。【選択図】  図１
2007212354.tif 000002
【特許請求の範囲】
【請求項１】
時表示指針が所定の回転位置にあることを検出する時計の針位置検出装置であって、
前記時表示指針又は該時表示指針が前記所定の回転位置に達した際該時表示指針が対面する特定位置部分のうちのいずれか一方が、磁性材料からなり、他方が磁気センサを備える時計の針位置検出装置。
【請求項２】
磁気センサが、ＭＩ（磁気インピーダンス）センサ、ＭＲ（磁気抵抗効果）センサ又はＧＭＲ（巨大磁気抵抗効果）素子からなる請求項１に記載の針位置検出装置。
【請求項３】
時表示指針が硬磁性材料からなる請求項１又は２に記載の時計の針位置検出装置。
【請求項４】
硬磁性材料からなる時表示指針が、秒針である請求項３に記載の針位置検出装置。
【請求項５】
硬磁性材料からなる時表示指針が、複数あり、硬磁性材料製の各時表示指針の回転位置を検出する磁気センサを別々に備える請求項３又は４に記載の針位置検出装置。
【請求項６】
少なくとも一つの時表示指針の複数種類の回転位置を検出すべく夫々の回転位置に対応する磁気センサが配置されている請求項３から５までのいずれか一つの項に記載の針位置検出装置。
【請求項７】
磁気センサが、文字板に又は該文字板の背後において該文字板に対面する位置に設けられている請求項３から６までのいずれか一つの項に記載の針位置検出装置。
【請求項８】
文字板が非磁性材料からなり、磁気センサが該文字板の背後において該文字板に対面する位置に設けられている請求項７に記載の針位置検出装置。
【請求項９】
文字板が該文字板の延在方向に相互に間隔をおいて配置された複数の太陽電池を含み、該太陽電池間の隙間に又は該隙間に対面する位置に磁気センサが配置されている請求項３から６までのいずれか一つの項に記載の針位置検出装置。
【請求項１０】
複数の磁気センサが一列に配置されている請求項９に記載の針位置検出装置。
【請求項１１】
複数の磁気センサが相互に直交する二方向に沿って配置されている請求項９に記載の針位置検出装置。
【請求項１２】
請求項１から１１までのいずれか一つの項に記載の針位置検出装置を備えた時計。
【発明の詳細な説明】
【技術分野】
【０００１】
本発明は、アナログ表示式の時計に係り、より詳しくは該時計の針位置検出装置に係る。
【０００２】
なお、この明細書において、時計は、時の経過を表示するものであって、現在時刻を表示する通常の時計だけでなく、ストップウオッチ（クロノグラフ）の如く時の経過を示すものも含む。従って、この明細書において、「時表示指針」は、例えば、時針や分針や秒針のような（現在）時刻表示針（典型的には、秒表示針、分表示針、時表示針）ないし（現在）時刻表示指針（典型的には、秒表示指針、分表示指針、時表示指針）だけでなく、クロノグラフ時針やクロノグラフ分針やクロノグラフ秒針の如く時の経過を表す指針等を含む。
【背景技術】
【０００３】
アナログ表示のクロノグラフにおいて、時の経過を新たに図る場合、指針を一旦初期位置に戻す。アナログ式電波時計（電波修正時計）においても、該時計の時刻修正等に際して、時表示指針の位置を一旦初期位置に戻し、該初期位置から当該修正時刻に対応する位置に回すタイプのものは周知である。いずれの場合も、時表示指針をハートカム等で機械的に強制的に初期位置に戻す場合を除き、時表示指針が初期位置に達したことを検出することが不可欠である。
【０００４】
時表示指針の回転位置を検出するには、通常は、該時表示指針を回転させる輪列の回転位置を検出する。このためには、針位置検出装置は、実際上全て、ムーブメントが収容された時計ケース内で文字板の背後に配置される。その結果、時計は必然的に厚くなる。
【０００５】
輪列の回転位置の検出には、典型的には、輪列の回転位置を検出する電気機械的なスイッチ機構を用いる（特許文献１）。これらのスイッチ機構は、必然的に、ケース内において、文字板と裏蓋との間に配置されるもので、相当のスペースを占有する。
【０００６】
なお、輪列の回転位置の検出に発光器や受光器を輪列と組合わせて配置することも提案されている（例えば、特許文献２）。これらの発光器や受光器を備えた光学的な検出系は、典型的には、外光を嫌うものであり、ケース内において、文字板と裏蓋との間に配置されることになり、且つ光路を確保する必要があることから、当該領域内に相当のスペースを占有する。
【０００７】
なお、磁場の強さを検出する磁気センサとしてアモルファス軟磁性材料線を用いたＭＩ（磁気インピーダンス）センサは知られている（例えば、特許文献３）。また、これを集積回路に組込み得るようにすることも提案されている（例えば、特許文献４）。また、薄膜型のＭＩセンサも提案されている（例えば、特許文献５や特許文献６）。
【特許文献１】特開平９−１９７０６４号公報
【特許文献２】特開２００４−１８４４０５号公報
【特許文献３】特開平７−１８１２３９号公報
【特許文献４】特開２００５−２２７２９７号公報
【特許文献５】特開平８−７５８３５号公報
【特許文献６】特開２００４−３３３２１７号公報
【発明の開示】
【発明が解決しようとする課題】
【０００８】
本発明は、前記諸点に鑑みなされたものであって、その目的とするところは、時計の薄型化を図ることを可能にする時計の針位置検出装置及びこれを備えた時計を提供することにある。
【課題を解決するための手段】
【０００９】
本発明の時計の針位置検出装置は、前記目的を達成すべく、時表示指針が所定の回転位置にあることを検出する時計の針位置検出装置であって、前記時表示指針又は該時表示指針が前記所定の回転位置に達した際該時表示指針が対面する特定位置部分のうちのいずれか一方が、磁性材料からなり、他方が磁気センサを備える。
【００１０】
本発明の針位置検出装置では、「時表示指針又は該時表示指針が所定の回転位置に達した際該時表示指針が対面する特定位置部分のうちのいずれか一方が、磁性材料からなり、他方が磁気センサを備える」ので、該時表示指針が前記特定位置部分に対面する回転位置に達した際、磁気センサが該時表示指針の前記特定位置部分への対面を検出し得る。特に、本発明の針位置検出装置では、時計の回転位置の検出に際して、一方の部材が時表示指針自体からなるので、文字板と時計ガラスとの間の空間を針位置検出に利用し得るから、針位置検出装置に関連する部品による時計の文字板と裏蓋との間の領域の占有が最低限に抑えられ得る。従って、本発明の時計の針位置検出装置では、時計の厚さを最低限に抑え得る。
【００１１】
磁気センサと磁性材料との相対位置に関して、「対面」とは、磁気センサが磁性材料の所定位置への到達ないし近接を選択的に検出し得るような相対位置関係をいい、典型的には、一方を通る磁束の磁路の抵抗が他方の存在により極小になるように両者が位置する相対位置関係を採ることをいう。ここで、磁性材料は、典型的には、永久磁石の形態の硬磁性材料（磁気的に硬い広義の強磁性材料）すなわち永久磁石材料からなり（但し、軟磁性材料に励磁手段が並設される場合又は磁気センサが軟磁性材料の近接を検出し得る場合には、磁性材料は、永久磁石の形態の硬磁性材料の代わりに、軟磁性材料であってもよい）、「対面」状態では、該永久磁石により生成される磁場が極大になるように磁気センサに作用するような相対位置関係とる。
【００１２】
また、本発明の時計の針位置検出装置において、「時表示指針」や「特定部分」が「磁性材料からなる」とは、典型的には、「その全体が磁性材料でできている」ことをいうけれども、その代わりに、「その一部が当該磁性材料でできていて他の部分は異なる材料でできていてもよい」。
【００１３】
本発明の時計の針位置検出装置において、磁気センサは、典型的には、ＭＩ（磁気インピーダンス）センサ、ＭＲ（磁気抵抗効果）センサ又はＧＭＲ（巨大磁気抵抗効果）素子からなる。ＭＩセンサは、典型的には、薄膜状であるけれども、代わりに、細線状でもよい。磁気抵抗を利用するセンサは、通常のＭＲセンサでも、ＧＭＲセンサでもよく、ＴＭＲセンサ等でもよい。サイズが小さく高感度で且つ指向性が高く、更に、好ましくは電力消費が少ないものであれば他の種類の磁気センサでもよい。
【００１４】
本発明の時計の針位置検出装置において、時表示指針が磁気センサを備え、該時表示指針が所定の回転位置に達した際該時表示指針が対面する特定位置部分が硬磁性材料からなっていてもよいけれども、典型的には、時表示指針が硬磁性材料からなり、前記特定位置部分が磁気センサを備える。
【００１５】
本発明の時計の針位置検出装置において、硬磁性材料からなる時表示指針は、分針や時針であってもよい（三針のアナログ時計の場合）けれども、典型的には、秒針である。勿論、秒針に加えて、分針及び時針のうちの一方又は両方が硬磁性材料であってもよい。その場合、典型的には、典型的には、分針及び時針のうちの一方又は両方が夫々の所定位置に達したことを検出するための磁気センサが夫々の特定部分に設けられる。すなわち、本発明の時計の針位置検出装置において、硬磁性材料からなる時表示指針が、複数あり、磁性材料製の各時表示指針の回転位置を検出する磁気センサを別々に備えていてもよい。なお、同心状に配置された複数の時表示指針が硬磁性材料からなる場合であっても、磁気センサが一つだけであってもよい。その場合、例えば、複数の時表示指針が所定位置において実際上重なった際に限り、磁気センサによりその状態が検出されるようにしてもよい。
【００１６】
なお、時計がクロノグラフ（専用時計）である場合、本発明の時計の針位置検出装置において、硬磁性材料からなる時表示指針は、「クロノグラフ秒針」や「クロノグラフ分針」や「クロノグラフ時針」からなる。
【００１７】
本発明の時計の針位置検出装置において、少なくとも一つの時表示指針の複数種類の回転位置を検出すべく夫々の回転位置に対応する磁気センサが配置されていてもよい。その場合、当該時表示指針の回転状態を逐次又は所望のタイミングで検出し得、所望ならば、強制的な時刻修正や時差修正を直接的に行い得る。
【００１８】
本発明の時計の針位置検出装置において、典型的には、磁気センサが、文字板に又は該文字板の背後において該文字板に対面する位置に設けられる。
【００１９】
磁気センサが、文字板の背後において該文字板に対面する位置に設けられる場合、典型的には、文字板が非磁性材料からなり、磁気センサが該文字板の背後において該文字板に対面する位置に設けられる。
【００２０】
この場合、磁気センサと時表示指針との距離は多少大きくなるけれども、文字板を最大限装飾可能であるから、高級感や美観を最大限に高めることが可能になる。文字板の背後に配設される磁気センサは、文字板の背面自体が該センサの基板になるような状態で該センサ基板に実装されてもよいけれども、典型的には、文字板の背後において該文字板に近接したところに配設されたセンサ基板に実装される。センサ基板は、主基板の一部であってもよいけれども、典型的には、センサの実装された基板の更に背後にコネクタゴムの如きコネクタを兼ねたスペーサを介して主基板が配置される。
【００２１】
一方、文字板に磁気センサが設けられる場合、時表示指針に近接した状態で且つ実際上余分のスペースを占有させることなく、時表示指針及び文字板を利用して、針位置検出装置を形成し得る。
【００２２】
本発明の時計の針位置検出装置において、文字板が該文字板の延在方向に相互に間隔をおいて配置された複数の太陽電池（パネル）を含み、該太陽電池（パネル）間の隙間に又は該隙間に対面する位置に磁気センサが配置されもよい。
【００２３】
この場合、典型的には、磁気センサは、典型的には太陽電池間の隙間において文字板に設けられるけれども、所望ならば、該太陽電池間の隙間に対面する位置において文字板の背後に磁気センサが設けられてもよい。
【００２４】
本発明の時計の針位置検出装置において、複数の磁気センサが一列に配置されていても、複数の磁気センサが相互に直交する二方向に沿って配置されていてもよい。
【００２５】
本発明において、以上のような針位置検出装置を備える時計は、典型的には、三針式のアナログ時計からなるけれども、所望ならば、クロノグラフ時計等他のものでもよく、また、典型的には、長波の形態の標準電波の時刻情報に応じて時刻修正され得る電波時計（電波修正時計）からなるけれども、他の種類の時計であってもよい。
【発明を実施するための最良の形態】
【００２６】
本発明の好ましい実施の形態のいくつかを添付図面に示した好ましい実施例に基づいて説明する。
【実施例１】
【００２７】
図１及び図２に示したように、時計１は、文字板１０と、時表示指針としての秒指針Ａ１０、分指針Ａ２０及び時指針Ａ３０を備え、文字板１０には、磁気センサＳ１０，Ｓ２０，Ｓ３０が取付けられている。ここで、針位置検出装置５は、指針Ａ１０，Ａ２０，Ａ３０と該指針Ａ１０，Ａ２０，Ａ３０が正１２時の位置にあることを検出する磁気センサＳ１０，Ｓ２０，Ｓ３０とからなる。
【００２８】
より詳しくは、図１に示したように、文字板１０の１２時の方向において、秒指針Ａ１０が００秒の位置（所定の初期位置ないし帰零位置）ＰＺ１０に達した際に該秒指針Ａ１０が対面する特定位置Ｐ１０に磁気センサＳ１０が取付けられ、分指針Ａ２０が００分の位置（所定の初期位置ないし帰零位置）ＰＺ２０に達した際に該分指針Ａ２０に対面すると特定位置Ｐ２０に磁気センサＳ２０が取付けられ、時指針Ａ３０が１２時（０時）の位置（所定の初期位置ないし帰零位置）ＰＺ３０に達した際に該時指針Ａ３０に対面する特定位置Ｐ３０に磁気センサＳ３０が取付けられている。
【００２９】
図１及び図２では、説明の簡明化を考慮して、文字板１０の表面１１側に露出するように、磁気センサＳ１０，Ｓ２０，Ｓ３０（相互に区別しないとき又は総称するときは符号Ｓで表す）が取付けられている例について説明するけれども、アナログ式時計１の高級感を維持するためには、図３の一部拡大断面図で示したように、磁気センサＳは、文字板１０の背面１２側に配置される。文字板１０は、非磁性材料からなり、典型的には、その全て又は主たる部分が非磁性金属からなる。
【００３０】
より詳しくは、図３からわかるように、磁気センサＳは、文字板１０の背面１２側において、該背面１２に近接して配置されたセンサ基板Ｋ１０に実装されている。センサ基板Ｋ１０は、弾性支持用スペーサとしても働く導電性ゴム製のコネクタ２１，２１を介して主基板Ｋ２０に結合されている。センサ基板Ｋ１０は、例えば、文字板１０側の表面Ｋ１１と主基板Ｋ２０側の表面（背面）Ｋ１２との間を貫通し導電処理されたスルーホールＫ１３，Ｋ１４や各スルーホールＫ１３，Ｋ１４につながった導電性パターンＫ１５，Ｋ１６を含む配線パターンＫ１７を備える。
【００３１】
センサ基板Ｋ１０の表面Ｋ１１側には、磁気センサＳが、その端子部ＳＴ，ＳＴにおいてスルーホールＫ１３，Ｋ１４の導電部につながるように、実装されている。磁気センサＳの端子部ＳＴ，ＳＴにつながったセンサ基板Ｋ１０の導電性パターンＫ１５，Ｋ１６は、導電性ゴム製のコネクタ２１，２１を介して主基板Ｋ２０の表面Ｋ２１側にある配線パターン（図示せず）の所望の部分につながっている。
【００３２】
以上において、図３は、特に厚さ方向に大きく拡大して示したもので、センサ基板Ｋ１０や主基板Ｋ２０は、典型的には、フレキシブル基板又はそれと同程度の厚さのもので、典型的には、０．１ｍｍ又はそれ以下の程度で、文字板１０も１ｍｍ程度又はそれよりも十分に薄い程度である。従って、文字板１０の表面１１から磁気センサＳまでの厚さ方向Ｚの距離は、高々１ｍｍ程度である。但し、時表示指針Ａ１０，Ａ２０，Ａ３０（相互に区別しないとき又は総称するときは符号Ａで表す）が該センサＳに対面する所定回転位置にあることを正確に検出・特定し得る限り、場合によっては、この距離が、より大きくてもよい。
【００３３】
磁気センサＳは、典型的には、薄膜型のＭＩセンサからなる。但し、電力消費が最低限に抑えられ且つ時表示指針Ａが所定回転位置にあることを高感度に検出し得る限り、所望ならば、磁気センサＳは、線状のＭＩセンサであっても、広義のＭＲセンサ（狭義のＭＲセンサ又はＧＭＲセンサ）であってもよく、場合によっては、他の種類の磁気センサであってもよい。
【００３４】
この場合、時表示指針Ａの少なくとも一部は、硬磁性材料製の永久磁石ＡＭからなる。但し、磁気センサＳ１０，Ｓ２０，Ｓ３０が、該センサＳ１０，Ｓ２０，Ｓ３０の長手方向にバイアス磁場をかける永久磁石層又は電流付与層の如きバイアス磁場生成手段を含む場合、該バイアス磁場によって対面位置に達した指針Ａ１０，Ａ２０，Ａ３０が磁化されるならば、該指針Ａ１０，Ａ２０，Ａ３０は永久磁石の形態の硬磁性材料の代わりに軟磁性材料でできていてもよい。
【００３５】
時表示指針Ａが永久磁石ＡＭからなる場合、該永久磁石ＡＭが所定回転位置Ｐである１２時の位置（分指針Ａ２０の場合には００分の位置、秒指針Ａ１０の場合には００秒の位置）に達すると、１２時の方向と平行な向きの最大の磁場を対応する磁気センサＳのところに生成し、該時表示指針Ａの所定回転位置Ｐへの到達が磁気センサＡにより検出される。
【００３６】
より詳しくは、永久磁石ＡＭ１０からなる秒指針Ａ１０が００秒（正０秒）の位置に達すると、該秒指針Ａ１０の永久磁石ＡＭ１０が、秒指針用磁気センサＳ１０のところに、１２時の方向と平行な向きに細長い該センサＳ１０の最大感度方向に最大の磁場を生成する。このとき、該秒指針Ａ１０の永久磁石ＡＭ１０は、００秒の回転位置で且つ秒指針Ａ１０の先端部Ａ１１とほぼ重なる半径方向位置にある。永久磁石ＡＭ１０と秒指針用磁気センサＳ１０との厚さ方向Ｚの距離は、典型的には、２〜３ｍｍ程度又はそれ以下である。該距離を考慮して、永久磁石ＡＭ１０の端部の位置を規定する秒指針Ａ１０の先端部Ａ１１の位置は、図１及び図２において、実線で示したように、対応するセンサＳ１０の半径方向外側端部の位置よりも半径方向内側でも、想像線で示したように、対応するセンサＳ１０の半径方向外側端部の位置よりも半径方向外側でも、その中間すなわち半径方向にみて丁度同じ位置であってもよい。なお、秒指針Ａ１０の全体が永久磁石を含む磁性材料からなる代わりに、その一部のみが永久磁石を含む磁性材料からなり他の部分が非磁性材料からなる場合、以上の説明は、当該磁性材料部分について該当する。
【００３７】
分指針Ａ２０についても基本的には秒指針Ａ１０と同様である。すなわち、永久磁石ＡＭ２０からなる分指針Ａ２０が００分（正０分）の位置に達すると、該分指針Ａ２０の永久磁石ＡＭ２０が、分指針用磁気センサＳ２０のところに、１２時の方向と平行な向きに細長い分指針用磁気センサＳ２０のの最大感度方向に最大の磁場を生成する。このとき、該分指針Ａ２０の永久磁石ＡＭ２０は、００分の回転位置で且つ分指針Ａ２０の先端部Ａ２１とほぼ重なる半径方向位置にある。永久磁石ＡＭ２０と分指針用磁気センサＳ２０との厚さ方向Ｚの距離は、永久磁石ＡＭ１０と秒指針用磁気センサＳ１０との厚さ方向Ｚの距離よりも小さい。分指針Ａ２０の永久磁石ＡＭ２０の場合も、永久磁石ＡＭ２０の端部の位置を規定する分指針Ａ２０の先端部Ａ２１の位置は、図１及び図２において、実線で示したように、対応するセンサＳ２０の半径方向外側端部の位置よりも半径方向内側でも、想像線で示したように、対応するセンサＳ２０の半径方向外側端部の位置よりも半径方向外側でも、その中間すなわち半径方向にみて丁度同じ位置であってもよい。なお、分指針Ａ２０の全体が永久磁石を含む磁性材料からなる代わりに、その一部のみが永久磁石を含む磁性材料からなり他の部分が非磁性材料からなる場合、以上の説明は、当該磁性材料部分について該当する。分指針Ａ２０が秒指針Ａ１０と同様に半径方向外向き又は半径方向内向きに磁化しているとすると分指針Ａ２０の先端Ａ２１が秒指針用磁気センサＳ１０のところに逆向きの磁場を生成するので、該磁場が過度に大きくなるのを避けるべく、分指針Ａ２０の先端Ａ２１が秒指針用磁気センサＳ１０の半径方向内側端部Ｓ１２から十分に離れて位置するように、秒指針用磁気センサＳ１０は、過度に長くならないように形成される。なお、所望ならば、分指針Ａ２０の永久磁石ＡＭ２０が秒指針用磁気センサＳ１０のところに生成する磁場の向きと秒指針Ａ１０の永久磁石ＡＭ１０が秒指針用磁気センサＳ１０のところに生成する磁場の向きとが同じ向きになるように、分指針Ａ２０が秒指針Ａ１０とは逆向きに磁化した永久磁石からなっていてもよい。ここで、秒指針用永久磁石ＡＭ１０が分指針用磁気センサＳ２０のところに生成する磁場は比較的小さいので、その影響は無視し得ると想定している。
【００３８】
時指針Ａ３０については分指針Ａ２０について説明したことがそのまま当てはまる。すなわち、永久磁石ＡＭ３０からなる時指針Ａ３０が１２時（正１２時）の位置に達すると、該時指針Ａ３０の永久磁石ＡＭ３０が、時指針用磁気センサＳ３０のところに、１２時の方向と平行な向きに細長い時指針用磁気センサＳ３０の最大感度方向に最大の磁場を生成する。このとき、該時指針Ａ３０の永久磁石ＡＭ３０は、１２時の回転位置で且つ時指針Ａ３０の先端部Ａ３１とほぼ重なる半径方向位置をとる。永久磁石ＡＭ３０と時指針用磁気センサＳ３０との厚さ方向Ｚの距離は、永久磁石ＡＭ２０と分指針用磁気センサＳ２０との厚さ方向Ｚの距離よりも更に小さい。時指針Ａ３０の永久磁石ＡＭ３０の場合も、永久磁石ＡＭ３０の端部の位置を規定する時指針Ａ３０の先端部３１の位置は、図１及び図２において、実線で示したように、対応するセンサＳ３０の半径方向外側端部の位置よりも半径方向内側でも、想像線で示したように、対応するセンサＳ３０の半径方向外側端部の位置よりも半径方向外側でも、その中間すなわち半径方向にみて丁度同じ位置であってもよい。なお、時指針Ａ３０の全体が永久磁石を含む磁性材料からなる代わりに、その一部のみが永久磁石を含む磁性材料からなり他の部分が非磁性材料からなる場合、以上の説明は、当該磁性材料部分について該当する。時指針Ａ３０が分指針Ａ２０と同様に半径方向外向き又は半径方向内向きに磁化しているとすると時指針Ａ３０の先端Ａ３１が分指針用磁気センサＳ２０のところに逆向きの磁場を生成するので、該磁場が過度に大きくなるのを避けるべく、時指針Ａ３０の先端Ａ３１が分指針用磁気センサＳ２０の半径方向内側端部Ｓ２２から十分に離れて位置するように、分指針用磁気センサＳ２０は、過度に長くならないように形成される。なお、所望ならば、時指針Ａ３０の永久磁石ＡＭ３０が分指針用磁気センサＳ２０のところに生成する磁場の向きと分指針Ａ２０の永久磁石ＡＭ２０が分指針用磁気センサＳ２０のところに生成する磁場の向きとが同じ向きになるように、時指針Ａ３０が分指針Ａ２０とは逆向きに磁化した永久磁石からなっていてもよい。ここで、分指針用永久磁石ＡＭ２０が時指針用磁気センサＳ３０のところに生成する磁場は、比較的小さいので、その影響は無視し得ると想定している。
【００３９】
この時計１の針位置検出装置５では、時表示指針Ａ１０，Ａ２０，Ａ３０が永久磁石の形態の磁性材料ＡＭ１０，ＡＭ２０，ＡＭ３０からなり、該時表示指針Ａ１０，Ａ２０，Ａ３０が所定の回転位置ＰＺ１０，ＰＺ２０，ＰＺ３０に達した際該時表示指針Ａ１０，Ａ２０，Ａ３０が対面する特定位置Ｐ１０，Ｐ２０，Ｐ３０の部分が磁気センサＳ１０，Ｓ２０，Ｓ３０を備えるので、該時表示指針Ａ１０，Ａ２０，Ａ３０が前記特定位置Ｐ１０，Ｐ２０，Ｐ３０の部分に対面する回転位置ＰＺ１０，ＰＺ２０，ＰＺ３０に達した際、磁気センサＳ１０，Ｓ２０，Ｓ３０が該時表示指針Ａ１０，Ａ２０，Ａ３０の特定位置Ｐ１０，Ｐ２０，Ｐ３０部分への対面を検出し得る。特に、この時計１の本発明の針位置検出装置５では、時計１の回転位置の検出に際して、時表示指針Ａ１０，Ａ２０，Ａ３０自体が永久磁石の形態の磁性材料ＡＭ１０，ＡＭ２０，ＡＭ３０からなるので、文字板１０と文字板１０の前面側に位置する時計ガラス（図示せず）との間の空間を針位置検出に利用し得るから、針位置検出装置５に関連する部品による時計１の文字板１０と裏蓋（図示せず）との間の領域の占有が最低限に抑えられ得る。従って、この時計１の針位置検出装置５では、時計１の厚さを最低限に抑え得る。
【００４０】
なお、以上のような秒指針Ａ１０や分指針Ａ２０や時指針Ａ３０の重なり合いがある場合と該重なり合いがない場合とで対応する磁気センサＳ１０やＳ２０のところに生成される磁場の大きさに差異があることを利用して、００秒が００分００秒であるか否かを秒指針用磁気センサＳ１０で検出したり、００分が１２時（０時）００分であるか否かを分指針用磁気センサＳ２０で検出するようにしてもよい。
【００４１】
以上においては、秒指針Ａ１０，分指針Ａ２０及び時指針Ａ３０の全体を同時に１２時の位置に帰零させることを想定しているけれども、時表示指針Ａ１０，Ａ２０，Ａ３０を別々に回転させて順々に帰零させ得るような場合には、夫々の磁気センサＳ１０，Ｓ２０，Ｓ３０による時表示指針Ａ１０，Ａ２０，Ａ３０の検出を順々に行い得るので、磁場の相互干渉は無視され得る。
【００４２】
なお、時表示指針Ａ１０，Ａ２０，Ａ３０は、半径方向に細長いので、磁気的に長手方向に形状異方性（形状依存の磁化容易軸）を有することになるから、少なくとも一部が指針Ａ１０，Ａ２０，Ａ３０の延在方向に細長い永久磁石からなり隣接部分が指針Ａ１０，Ａ２０，Ａ３０の延在方向に細長い軟磁性材料からなる場合でも、該軟磁性材料部分の磁化が効率的に行われ得、時表示指針Ａ１０，Ａ２０，Ａ３０の形状がそのまま磁化に効果的に利用され得る。
【００４３】
また、各時表示指針Ａ１０，Ａ２０，Ａ３０が対応する磁気センサＳ１０，Ｓ２０，Ｓ３０に対して丁度重なり合うような半径方向位置関係にする代わりに、各時表示指針Ａ１０，Ａ２０，Ａ３０の先端Ａ１１，Ａ２１，Ａ３１が、対応する磁気センサＳ１０，Ｓ２０，Ｓ３０の半径方向内側端部にＳ１２，Ｓ２２，Ｓ３２に対してほぼ向き合うような半径方向位置関係に、各時表示指針Ａ１０，Ａ２０，Ａ３０及び対応する磁気センサＳ１０，Ｓ２０，Ｓ３０を配置してもよい。
【００４４】
なお、時表示指針Ａ１０，Ａ２０，Ａ３０が永久磁石部分ＡＭ１０，ＡＭ２０，ＡＭ３０を含む場合、永久磁石は典型的には、時表示指針Ａ１０，Ａ２０，Ａ３０の長手方向に磁化されるけれども、前述のような他のセンサとの干渉を最低限に抑えるべく、厚さ方向に対して斜め方向に磁化させておいてもよい。特に、磁気センサが厚さ方向Ｚ向きの磁場を検出するように構成ないし形成される場合には、時表示指針Ａ１０，Ａ２０，Ａ３０の先端Ａ１１，Ａ２１，Ａ３１が対応する磁気センサＳ１０，Ｓ２０，Ｓ３０の中間部に位置するように先端部Ａ１１，Ａ２１，Ａ３１を対応する磁気センサＳ１０，Ｓ２０，Ｓ３０の表面に直接的に又は図３に示したように非磁性文字板１０を介して対面する位置に配置してもよい。
【００４５】
時計１は、駆動モータＭと、指針回路ＣＡと、センサ回路ＣＳとを備える。
【００４６】
駆動モータＭは、秒指針駆動モータＭ１０と、分指針駆動モータＭ２０と、時指針駆動モータＭ３０とからなる。秒指針駆動モータＭ１０のロータ軸（出力軸）は秒指針用輪列の如き秒指針回転伝達機構（図示せず）を介して秒指針Ａ１０の回転軸Ａ１５（図２）に結合され、分指針駆動モータＭ２０のロータ軸は分指針用輪列の如き分指針回転伝達機構（図示せず）を介して分指針Ａ２０の回転軸Ａ２５（図２）に結合され、時指針駆動モータＭ３０のロータ軸は時指針用輪列の如き時指針回転伝達機構（図示せず）を介して時指針Ａ３０の回転軸Ａ３５（図２）に結合されている。
【００４７】
時間計測の際には、秒指針駆動モータＭ１０，分指針駆動モータＭ２０及び時指針駆動モータＭ３０の夫々に、駆動信号が与えられて、秒指針Ａ１０，分指針Ａ２０及び時指針Ａ３０を回転させる。なお、各駆動モータＭ１０，Ｍ２０，Ｍ３０への駆動信号の送信のタイミングは、例えば、指針回路ＣＡによって制御される。
【００４８】
指針回路ＣＡは、例えば、秒指針用指針回路ＣＡ１０と、分指針用指針回路ＣＡ２０と、時指針用指針回路ＣＡ３０とを有する。秒指針用指針回路ＣＡはクロックパルス発生器Ｑからの秒パルスＱＰ１０の数をカウントする秒カウンタＣＡ１１を備える。秒カウンタＣＡ１１は、リセットパルスＲＰで零にリセット可能であり、且つ６０カウント毎に分パルスＱＰ２０を出力すると共に零にリセットされる。分指針用指針回路ＣＡ２０は、分パルスＱＰ２０の数をカウントする分カウンタＣＡ２１を備える。分カウンタＣＡ２１は、リセットパルスＲＰで零にリセット可能であり、且つ６０カウント毎に時パルスＱＰ３０を出力すると共に零にリセットされる。時指針用指針回路ＣＡ３０は、時パルスＱＰ３０の数をカウントする分カウンタＣＡ３１を備える。時カウンタＣＡ３１は、リセットパルスＲＰで零にリセット可能であり、且つ１２カウント毎に零にリセットされる。従って、秒指針駆動モータＭ１０，分指針駆動モータＭ２０及び時指針駆動モータＭ３０は、夫々、秒パルスＱＰ１０，分パルスＱＰ２０及び時パルスＱＰ３０に従って回転駆動される。なお、時指針Ａ３０の回転をよりなめらかに行わせるために所望の手段を設けておいてもよい。例えば、時カウンタＣＡ３１と分カウンタＣＡ２１との間に、分パルスＱＰ２０を１２個カウントする毎にパルス信号を出力すると共に零にリセットされる中間カウンタを設け、該中間カウンタからのパルス信号に応じて時指針駆動モータＭ３０の回転駆動を制御し、時指針の回転を制御するようにしておいてもよい。
【００４９】
リセット動作の際には、リセットボタンＲＢの押圧に伴う帰零指示信号ＲＤに応じて、クロックパルス発生器Ｑは、パルス間隔の短い高速パルスをリセットモードないし帰零モード用の擬似クロックパルスＱＨ１０として発生する。この擬似クロックパルスＱＨ１０は、水晶発振器の如き発振器からのパルス信号が分周回路の一部又は全部を迂回して与えられても、専用の別の分周回路で分周されて与えられてもよい。擬似クロックパルスＱＨ１０がクロックパルスＱＰ１０の代わりに高速で与えられることに応じて、例えば、擬似分パルスＱＨ２０や擬似時間パルスＱＨ３０もそれに応じた高速で生成される。
【００５０】
リセット動作の際には、各指針Ａ１０，Ａ２０，Ａ３０が対応する磁気センサＳ１０，Ｓ２０，Ｓ３０に対面する所定位置すなわち零位置に戻ったことが夫々の磁気センサＳ１０，Ｓ２０，Ｓ３０によって検出されると、対応するモータＭ１０，Ｍ２０，Ｍ３０への夫々の駆動信号の供給が停止されて夫々のモータＭ１０，Ｍ２０，Ｍ３０が停止される。
【００５１】
センサ回路ＣＳは、秒指針用センサ回路ＣＳ１０と、分指針用センサ回路ＣＳ２０と、時指針用センサＣＳ３０とを有する。リセット処理の際には、センサ回路ＣＳ１０，ＣＳ２０，ＣＳ３０は、例えば、帰零指示信号ＲＤの発生により規定されるリセット動作の開始と同時に磁気センサＳ１０，Ｓ２０，Ｓ３０への高周波電流の供給を開始し、指針Ａ１０，Ａ２０，Ａ３０が磁気センサＳ１０，Ｓ２０，Ｓ３０に対面する零位置に達することに応じた磁気センサＳ１０，Ｓ２０，Ｓ３０のインピーダンス変化がセンサ回路ＣＳ１０，ＣＳ２０，ＣＳ３０によって検出されると、モータＭ１０，Ｍ２０，Ｍ３０の回転駆動を停止させると共に当該磁気センサＳ１０，Ｓ２０，Ｓ３０への高周波電流の供給を停止する。
【００５２】
なお、磁気センサ１０，Ｓ２０，Ｓ３０への高周波電流の供給をリセット動作の開始と同時に開始する代わりに、例えば、指針Ａ１０，Ａ２０，Ａ３０が初期位置（零位置）ＰＺ１０、ＰＺ２０，ＰＺ３０に近付いた際に、初めて、磁気センサ１０，Ｓ２０，Ｓ３０への高周波電流の供給を開始するようにしてもよい。そのためには、例えば、秒カウンタＣＡ１１，分カウンタＣＡ２１及び時カウンタＣＡ３１の夫々の内容Ｎ１０，Ｎ２０，Ｎ３０がリセットされるべき値６０，６０，１２に近付いた際に磁気センサ１０，Ｓ２０，Ｓ３０への高周波電流の供給を開始するようにしてもよい。
【００５３】
なお、分カウンタＣＳ２１や時カウンタＣＳ３１の内容を擬似分パルスＱＨ２０や擬似時パルスＱＨ３０によって制御する代わりに、リセットモードでは、制御部が、擬似秒パルスＱＨ１０を分カウンタＣＳ２１や時カウンタＣＳ３１に擬似分パルスや擬似時パルスとして直接与えて、分指針Ａ２０や時指針Ａ３０の回転を直接且つ高速で制御するようにしておいてもよい。
【００５４】
また、以上においては、秒指針Ａ１０、分指針Ａ２０及び時指針Ａ３０の夫々を独立に夫々のモータＭ１０，Ｍ２０及びＭ３０で回転させる例について説明したけれども、秒指針Ａ１０、分指針Ａ２０及び時指針Ａ３０の全体を一つのモータＭで回転させるようにしてもよい。
【００５５】
その場合、磁気センサＳ１０，Ｓ２０及びＳ３０の全てによって、対応する指針Ａ１０，Ａ２０及びＡ３０の帰零が検出されたことが、指針回路ＣＳすなわちＣＳ１０，ＣＳ２０，ＣＳ３０によって判定された際に、リセット動作を停止させればよい。
【００５６】
なお、秒指針Ａ１０、分指針Ａ２０及び時指針Ａ３０の全体を一つのモータＭで回転させるようにし、指示に応じて帰零させることは、クロノグラフだけでなく、電波時計（電波修正時計）においても、採用され得る構成であり、この帰零動作を行う時計１は、電波時計であってもよい。
【００５７】
また、以上においては、時指針Ａ３０、分指針Ａ２０及び秒指針Ａ１０の全ての帰零を磁気センサＳ３０，Ｓ２０，Ｓ１０で検出するようにしたけれども、その代わりに、例えば、一つの針例えば秒指針Ａ１０の帰零のみを磁気センサで検出し、他の帰零は、別の手段で制御するようにしてもよい。一つの針は、秒指針Ａ１０の代わりに他の針でもよい。また、秒指針Ａ１０及び時指針Ａ３０の帰零を該当する磁気センサＳ１０及びＳ３０で検出・制御するようにして、磁場の相互干渉を最低限に抑えるようにしてもよい。
【００５８】
なお、所望ならば、図１において示した磁気センサＳ１０，Ｓ２０，Ｓ３０の全てを一つにつないだ長さの一つの長い磁気センサを設けておくと共に、秒指針Ａ１０のうち分指針Ａ２０よりも半径方向外側に突出する部分だけを磁性材料で形成し、分指針Ａ２０のうち時指針Ａ３０よりも半径方向外側に突出する部分だけを磁性材料で形成し、例えば時指針Ａ３０の全体（又は図１の時指針磁気センサＳ３０に対面する半径方向長さ部分）を磁性材料で形成しておいて、三つの指針Ａ１０，Ａ２０，Ａ３０が重なる（即ち正１２時）のみ磁気センサによりその存在が検出され得るようにしてもよい。この場合、いずれかの磁性材料は、典型的には、永久磁石の形態の硬磁性材料からなる。
【００５９】
図１では、時表示指針Ａを１２時の位置に帰零させる際に夫々の時表示指針Ａ１０，Ａ２０，Ａ３０が所定位置に達したか否かを検出するために磁気センサＳ１０，Ｓ２０，Ｓ３０を１２時の位置に配置した例について説明したけれども、例えば、図５に示したように、磁気センサＳが時表示指針Ａ１０，Ａ２０，Ａ３０の回転方向に多数設けられていてもよい。
【００６０】
図５の時計１Ａの針位置検出装置５Ａでは、秒指針用センサＳ１０が６０セグメントを形成するように６度間隔すなわち１秒間隔で周方向に配置され、分指針用センサＳ２０が６０セグメントを形成するように６度間隔すなわち１分間隔で周方向に配置され、時指針用センサＳ３０が１２セグメントを形成するように３０度間隔すなわち１時間間隔で周方向に配置されている点を除いて、図１〜図３に示した時計１の針位置検出装置５と同様に構成されている。すなわち、各センサＳは、文字板１０に直接取付けられていても、図３に示したように、文字板１０の背後においてセンサ基板Ｋ１０に実装されていてもよい。
【００６１】
この時計１Ａでは、時表示指針Ａ１０，Ａ２０，Ａ３０の位置を磁気センサＳで直接検出し得る。この時計１Ａでは、例えば、秒パルスＱＰ１０、分パルスＱＰ２０及び時パルスＱＰ３０を出すカウンタＣＡ１１，ＣＡ２１及びＣＡ３１を設けておき、該パルスＱＰ１０，ＱＰ２０，Ｑ３０に応じて、秒指針駆動モータＭ１０、分指針駆動モータＭ２０及び時指針駆動モータＭ３０を駆動させ、順次次の磁気センサＳ１０，Ｓ２０及びＳ３０により指針Ａ１０，Ａ２０及びＡ３０の近接を検出する毎に、指針Ａ１０，Ａ２０及びＡ３０の回転を停止させることにより、指針Ａ１０，Ａ２０及びＡ３０の回転位置を制御するようにしてもよい。その場合、輪列による回転量の制御は不要である。勿論、指針回路ＣＡのカウンタＣＡ１１，ＣＡ２１，ＣＡ３１の内容Ｎ１０，Ｎ２０，Ｎ３０を参照して、次の指針位置に指針が確かに達したことを磁気センサＳ１０，Ｓ２０，Ｓ３０で直接確認することにより、指針位置をカウンタ値Ｎ１０，Ｎ２０，Ｎ３０に確実に合わせ得るようにしてもよい。
【００６２】
なお、この時計１Ａでは、指定時刻に直接針合せし得るので、例えば、この時計が電波時計（電波修正時計）である場合、時差のある地域間を移動した際に（例えばニューヨーク→東京又はその逆）、当該地域の標準電波に含まれる時刻情報を検出して、該時刻情報に従って、時計の指針をその時刻表示位置に直接的に移動させることが可能であるから、時差を考慮した複雑な制御を要しない。
【００６３】
更に、例えば、磁気センサＳは、図６に示したような多窓式の時計すなわち小指針を備えた時計１Ｂにおいて、各指針の位置Ｐ１０，Ｐ２０，Ｐ３０，Ｐ４０，Ｐ５０，Ｐ６０に対面する初期位置ＰＺ１０，ＰＺ２０，ＰＺ３０，ＰＺ４０，ＰＺ５０，ＰＺ６０を規定するために用いられ得る。
【００６４】
時計１Ｂの針位置検出装置５Ｂでは、時表示指針Ａ１０，Ａ２０，Ａ３０の位置Ｐ１０，Ｐ２０，Ｐ３０に対面する初期位置ＰＺ１０，ＰＺ２０，ＰＺ３０への帰零を検出するための対応する磁気センサＳ１０，Ｓ２０，Ｓ３０に加えて、磁性材料を少なくとも一部に含む２４時間針Ａ４０の位置Ｐ４０に対面する初期位置ＰＺ４０への帰零を検出する２４時間用磁気センサＳ４０と、磁性材料を少なくとも一部に含む曜針Ａ５０の位置Ｐ５０に対面する初期位置ＰＺ５０への帰零を検出する曜日用磁気センサＳ５０と、磁性材料を少なくとも一部に含む日付用指針Ａ６０の位置Ｐ６０に対面する初期位置ＰＺ６０への帰零を検出する日付用磁気センサＳ６０とを備える。
【００６５】
この時計１Ｂでは、２４時間針Ａ４０による２４時間表示や曜針Ａ５０による曜日表示や日付針Ａ６０による日付表示も、必要に応じて、容易且つ確実に、所望ならば独立に、初期状態に戻し得る。
【００６６】
なお、この種の多窓式時計１Ｂは、例えば、通常の時刻表示のための時針、分針及び秒針に加えてクロノグラフ時針、クロノグラフ分針及びクロノグラフ秒針を備えたクロノグラフ時計であってもよい。時計１Ｂがクロノグラフ時計である場合、例えば、磁気センサＳ６０，Ｓ２０及びＳ３０が夫々秒針、分針及び時針のセンサで、磁気センサＳ１０，Ｓ４０，Ｓ５０がクロノグラフ秒針、クロノグラフ分針及びクロノグラフ時針のセンサである。勿論、各指針の役割は異なっていてもよい。
【００６７】
更に、磁気センサＳは、図７に示したように、太陽電池Ｇを電源とする時計１Ｄに組込まれてもよい。この例では、時計１Ｄは、太陽電池Ｇ１，Ｇ２，Ｇ３，Ｇ４（総称するとき又は相互に区別しないときには符号Ｇで表す）を文字板側に備える。各太陽電池Ｇ１，Ｇ２，Ｇ３，Ｇ４は、夫々、約９０度の角度範囲にわたって拡がる。より詳しくは、太陽電池Ｇ１，Ｇ２，Ｇ３，Ｇ４は、夫々、１２時〜３時の範囲、３時〜６時の範囲、６時〜９時の範囲、及び９時〜１２時の範囲を占める。太陽電池Ｇ４，Ｇ１の間には１２時の方向に向かって延びる間隙Ｊ１があり、太陽電池Ｇ１，Ｇ２の間には３時の方向に向かって延びる間隙Ｊ２があり、太陽電池Ｇ２，Ｇ３の間には６時の方向に向かって延びる間隙Ｊ３があり、太陽電池Ｇ３，Ｇ４の間には９時の方向に向かって延びる間隙Ｊ４がある。より詳しくは、太陽電池Ｇ１，Ｇ２，Ｇ３，Ｇ４は、電池基板ＫＧを共有し、四個の太陽電池Ｇ１，Ｇ２，Ｇ３，Ｇ４は、所望に応じて、直列又は並列に接続されている。電池基板ＫＧのうち間隙Ｊ１の部分には、磁気センサＳ１０，Ｓ２０，Ｓ３０が１２時の方向に一列に並んだ状態で実装されている。
【００６８】
この時計１Ｄの針位置検出装置５Ｄでは、文字板としても働く電池基板ＫＧのうち太陽電池Ｇ４、Ｇ１の間の部分Ｊ１がそのまま磁気センサＳの実装用センサ基板Ｋ１０として活用され得る。複数の太陽電池Ｇの間の間隙部分に磁気センサＳが配置され、好ましくは、複数の太陽電池Ｇの共通基板ＫＧが磁気センサＳのセンサ基板Ｋ１０として用いられ得る限り、複数の電池Ｇの相対配置や形状は異なっていてもよい。なお、太陽電池パネルＧの場合、電源電圧を上げるためにパネル部分を直列接続することは多用され、そのためには間隙が実際上不可欠である。この時計１Ｄでは、その間隙がそのままセンサ基板Ｋ１０として用いられ得る。
【００６９】
図８には、二群の磁気センサＳ−１，Ｓ−２を備え且つ太陽電池Ｇを有するタイプの時計１Ｅが示されている。ここで、センサ群Ｓ−２を除く部分は、図７の時計１Ｄと同様に構成されている。
【００７０】
即ち、時計１Ｅの針位置検出装置５Ｅでは、図８に示したように、電池基板ＫＧのうち間隙Ｊ１の部分に、磁気センサＳ１０−１，Ｓ２０−１，Ｓ３０−１（総称するとき又は相互に区別しないときは符号Ｓ−１で表す、これは図７の時計１Ｄにおける磁気センサＳ１０，Ｓ２０，Ｓ３０からなるセンサ群Ｓと同一）を１２時の方向に一列に並んだ状態で備えると共に、電池基板ＫＧのうち間隙Ｊ４の部分に、磁気センサＳ１０−２，Ｓ２０−２，Ｓ３０−２（総称するとき又は相互に区別しないときは符号Ｓ−２で表す）を１２時の方向に一列に並んだ状態で備える。磁気センサＳ１０−１，Ｓ１０−２はいずれも磁気センサＳ１０と同様な秒針用磁気センサであって実装位置及び向きが相互に異なる。磁気センサＳ２０−１，Ｓ２０−２はいずれも磁気センサＳ２０と同様な分針用磁気センサであって実装位置及び向きが相互に異なる。磁気センサＳ３０−１，Ｓ３０−２はいずれも磁気センサＳ３０と同様な時針用磁気センサであって実装位置及び向きが相互に異なる。
【００７１】
この時計１Ｅでは、例えば、時表示指針Ａ１０，Ａ２０，Ａ３０を時計回りに高速回転させて帰零させるとすると、時表示指針Ａ１０，Ａ２０，Ａ３０の通過が磁気センサＳ１０−２，Ｓ２０−２，Ｓ３０−２によって検出された時点で、時表示指針Ａ１０，Ａ２０，Ａ３０の回転速度を落として、帰零させることにより、より正確に針位置を合わせることが可能になる。
【００７２】
時計１Ｅの磁気センサＳ−１，Ｓ−２は、例えば、地磁気のセンサとして用いられ得る。磁気センサＳ−１，Ｓ−２は相互に直角に配置されているので、両センサＳ−１，Ｓ−２の出力を解析する制御・演算部分を備えることにより、方位計として働き得る。なお、方位計の詳細は周知であるのでその説明は省略する。
【００７３】
なお、相互に交差する向きに延びた磁気センサ、特にＭＩセンサのように指向性ないし感度の異方性の高い磁気センサを太陽電池パネルの間隙に並べてなるものを方位計として用いる場合であって針位置検出装置としては用いない場合には、秒針Ａ１０や分針Ａ２０や時針Ａ３０は磁性材料でなくてもよい。
【００７４】
また、所望ならば、時計１Ｅの磁気センサＳ−１，Ｓ−２は、例えば、時刻情報を含む長波の形態の標準電波（の磁場成分）の検出にも利用され得る（時計１Ｄの磁気センサＳの場合も同様である）。時計１Ｅが電波時計（電波修正時計）である場合、磁気センサ群Ｓ−１と磁気センサ群Ｓ−２とが相互に９０度の向きに配設されているので、磁気センサ群Ｓ−１及びＳ−２の夫々を標準電波の検出用に用い得る。その場合、二群の磁気センサＳ−１，Ｓ−２が９０度の相対角度で配置されているので、両者がダイバーシティアンテナとして働き得る。ここで、標準電波の検出のためにセンサＳ１０−１，Ｓ２０−１，Ｓ３０−１のうちの一つ又は複数のセンサを利用するようにしても、センサＳ１０−２，Ｓ２０−２，Ｓ３０−２のうちの一つ又は複数のセンサを利用するようにしてもよい。
【図面の簡単な説明】
【００７５】
【図１】本発明による好ましい一実施例の時計（クロノグラフ）の平面説明図。
【図２】図１の時計の文字板より針側の部分の断面説明図。
【図３】図１の時計における磁気センサの好ましい一配置を示した部分的な断面説明図。
【図４】図１の時計の大まかなブロック回路図。
【図５】本発明による別の好ましい一実施例の時計についての図１と同様な平面説明図（但し、文字板の範囲内の部分のみを示したもの）。
【図６】本発明による更に別の好ましい一実施例の時計についての図５と同様な平面説明図。
【図７】本発明による更に別の好ましい一実施例の時計についての図５と同様な平面説明図。
【図８】本発明による更に別の好ましい一実施例の時計についての図５と同様な平面説明図。
【符号の説明】
【００７６】
１，１Ａ，１Ｂ，１Ｄ，１Ｅ  時計
５，５Ａ，５Ｂ，５Ｄ，５Ｅ  針位置検出装置
１０  文字板
１１  文字板の表面
１２  文字板の背面
２１  スペーサを兼ねたコネクタ
Ａ１０  秒指針
Ａ１１，Ａ２１，Ａ３１  先端部
Ａ１５，Ａ２５，Ａ３５  回転軸
Ａ２０  分指針
Ａ３０  時指針
Ａ４０，Ａ５０，Ａ６０  小指針
ＡＭ１０，ＡＭ２０，ＡＭ３０  永久磁石からなる指針
ＣＡ，ＣＡ１０，ＣＡ２０，ＣＡ３０  指針回路
ＣＳ，ＣＳ１０，ＣＳ２０，ＣＳ３０  センサ回路
ＣＳ１１，ＣＳ２１，ＣＳ３１  カウンタ
Ｇ，Ｇ１，Ｇ２，Ｇ３，Ｇ４  太陽電池
Ｊ１，Ｊ２，Ｊ３，Ｊ４  間隙
Ｋ１０  センサ基板
Ｋ１１  表面
Ｋ１２  背面
Ｋ１３，Ｋ１４  スルーホール
Ｋ１５，Ｋ１６，Ｋ１７  配線パターン
Ｋ２０  主基板
Ｋ２１  表面
ＫＧ  太陽電池基板
Ｍ，Ｍ１０，Ｍ２０，Ｍ３０  駆動モータ
Ｐ１０，Ｐ２０，Ｐ３０，Ｐ４０，Ｐ５０，Ｐ６０  特定位置（センサ位置）
ＰＺ１０，ＰＺ２０，ＰＺ３０，ＰＺ４０，ＰＺ５０，ＰＺ６０  初期位置（帰零位置）
Ｓ，Ｓ−１，Ｓ−２  磁気センサ
Ｓ１０  秒指針用磁気センサ
Ｓ１２，Ｓ２２  磁気センサの端部
Ｓ２０  分指針用磁気センサ
Ｓ３０  時指針用磁気センサ
Ｓ４０，Ｓ５０，Ｓ６０  小指針用磁気センサ
【図１】
2007212354.tif 000003
【図２】
2007212354.tif 000004
【図３】
2007212354.tif 000005
【図４】
2007212354.tif 000006
【図５】
2007212354.tif 000007
【図６】
2007212354.tif 000008
【図７】
2007212354.tif 000009
【図８】
2007212354.tif 000010